(57)【要約】      （修正有）【課題】床としての機能を有し、暖房効率を向上させることができる超薄型床暖房パネルを提供する。【解決手段】平面状の上部プレート９と扁平状の流体通路を有する下部プレート１２との間に流体を導入出させる口金１４を挟みこんだ状態で接合し、流体を導入する雄ネジ型の導入口１５ａとパネル内部の流体を導出する雌ネジ型の導出口を複数個設けることで循環圧力を均一にし流体の流量を確保し薄型にできた。またパネルを交互に接続し敷設できる。パネル本体には下部プレート１２に流体通路の堰があり、上部プレート９と下部プレートの堰を溶接にて接合することで耐荷重構造となる。敷設したパネルどうしの間にプレートを載せることで隙間ができないため床としての機能を果すため、新たに床を敷設しなくてもよいため熱伝導率が格段に向上することができる。【選択図】図７
2009058211.tif 000002
【特許請求の範囲】
【請求項１】
上部平面プレート（９）の外周部（９ｂ）と、加熱流体が流れる流体通路を有した下部プレート（１２）の外周部（１２ｂ）とを接合するとともに、加熱流体を取入れる口金（１４）を上下両プレーとの間に挟み口金（１４）の外周部を接合したことを特徴とする温水床暖房パネル。
【請求項２】
請求項１において口金（１４）を有することで、パネルの厚みを既存の床の厚みに合せても加熱流体の流量を確保することができるため、床暖房を必要とするところだけ敷設することができるため、床暖房パネルの上に改めて床を敷設しなくてもいいことを特徴とする温水床暖房パネル
【発明の詳細な説明】
【技術分野】
【０００１】  本発明は建物の床に用いられる温水床暖房用パネルに関する。
【背景技術】
【０００２】  現在、最も普及している床暖房用パネルは、床に敷設するパネル３に温水配管２を埋設できるよう溝４が掘ってあり、その溝４に温水配管２を埋設し床を敷設した状態（図１）で加熱装置により暖められた加熱流体を循環ポンプにて循環しています。
ところが、上記既存の床暖房用パネルは、温水管を埋設してあるパネルの上に床１が敷設されており、温水配管の放熱量を利用し床を暖めています。しかし、温水配管と床は接地５していますが、円筒の配管は接地面積が１〜２ｍｍ程度と少ないため、熱伝導率が非常に低い状態であり、床暖房を開始してから床全体が温まるまでに多くの時間を必要とし、それに対する燃料消費量が増大しているのが現状である。そのためＣＯ２の排出量が多くなるため、地球温暖化に拍車を掛けてしまっている問題がある。また、平な床暖房パネルについては配管径の流量とパネル内部の流量に差があり、パネル全体を温めるためには導入口径・配管径・パネル流体通路が同一でなければならない、何故なら循環配管径が大きく導入口径が小さい場合配管に圧力が掛り、循環ポンプの圧力による抵抗が発生しポンプの破損が起こる、更に循環する第１パネルに負荷が掛りパネル本体に変形が生じる。
また、循環配管の管径が小さく導入口径が大きいとパネル内部の流量が足らなくなり放熱量が多くなるので床全体の温度が均一にならないなどの様々な問題が生じる、そのためパネルの流体通路１０と導入口は加熱流体導入量が同一でなければ温水床暖房パネルの温度にばらつきが生じることから導入口が１口である床暖房パネルでは導入口の口径が必然的に大口になってしまいそれに伴いパネル本体の厚みが厚くなってしまう【０００３】  この問題を解消するため、配管型（図１）の従来方式ではなく、放熱量が多く素早く温まり、床を敷設しなくてもいい平面状温水床暖房パネル（図３）が考えられる。
【発明の開示】
【発明が解決しようとする課題】
【０００４】  上記、配管型（図１）の床暖房パネルでは、床を暖めるためには十分な放熱量を得ることができない、そのため床暖房システムを稼動しても床が暖まるまでには時間と燃料を費やす問題があった。【０００５】  本発明の主たる目的は、上記従来の問題点を解消して、暖房効率を向上することができ、効率を向上したことで燃料消費量を大幅に抑えることができる床暖房パネルを提供することにある。
本発明の別の目的は、上記目的に加えて、床（１）を敷設することなくパネル自体が床の役割を果す事が出来るパネルを提供することにある。【０００６】  上記問題点を解決するために、請求項１に記載の発明は、上部平面状プレートの外周部と加熱流体が流れる溝を有した下部プレートの外周部をシーム溶接１１により接合することで、下部プレートの流体通路１０が確立され、パネル内部を流路に沿って加熱流体が全体を流れることを要旨とする。【０００７】  請求項２に記載の発明は、加熱流体が流れる溝を有した下部プレートはプレス形成加工がしてある。また流体通路間にはパネルの変形を防止する堰１３が設けられています。そのため上部プレートと下部プレートを接合する事で強度が増し対荷重構造となり、重量物がパネルの上部に設置されたとしても変形しないためパネルの上に床を敷設する事を不要とし、床としての機能を兼ね備えたパネルであることを要旨とする。【０００８】  上記パネル構造について床としての機能を有することで温水床暖房が不要な箇所については市販の床を敷設するためパネルの厚みを抑える構造でなければならない、しかし、パネルの厚みを抑えることで配管の管径が小さくなるため、加熱流体の流量が制限される。
そこで流量を確保するため口金（１４）をパネル本体に接合する事で流量を確保できるようになった。しかし、上記問題点にあるように循環ポンプからの圧力で第１パネルに少量の膨張が生じるため、循環配管とパネル導入口の間に専用の継手１６を接続することで、循環ポンプからの圧力を均一にしパネルの変形を防止すること、更に厚みを大幅に抑えた薄型のパネルを要旨とする。
【発明を実施するための最良の形態】
【０００９】  以下、本発明を具体化した温水床暖房用パネルの一実施形態を図面にしたがって説明する。
この温水用床暖房パネル６を構成する上部プレート９は図６に示すように例えば厚さ寸法０．５〜１．０ｍｍの鋼板により平面視、扁平長四角形状に形成されている。この上部プレート９の外周部として接合用部９ｂの下面には図６に示すように例えば厚さ寸法０．５〜１．０ｍｍの鋼板により平面視、扁平長四角形状に形成された下部プレート１２の外周部として接合用部１２ｂが接触され両接合部９ｂ、１２ｂは平面視、扁平長２辺をシーム溶接部１１により内外をシールする状態で接合されている。
図５に示すように上部プレート９と下部プレート１２の間に口金部１４を挟み断面視、扁平長四角形状の上部プレート９と口金部１４の接合部９ａ、１４ｂ、下部プレート１２と口金部１４の接触部１２ａ、１４ｅ、１２ｃ、１４ｃの接触部を断面視四角環状の溶接により接合されている【００１０】  図３に示すように下部プレート２２には扁平の溝１０が蛇行するように予めプレス機により絞り形成され、この蛇行溝１０を形成する二条のＬ字状の堰１３が形成され、上部プレート９の下面に対しスポット溶接部１７により複数箇所で連結されている。前記下部プレート１２の蛇行溝１０と前記上部プレート９の下面とにより扁平状の加熱流体通路１０が蛇行するように形成されている。【００１１】  図７に示すように前記下部プレート１２には、扁平の溝１０が形成されているが加熱流体を外部から導入、内部から導出するために口金部１４を必要とする。図４で示すように口金部１４には複数個の加熱流体導入口１５ａと加熱流体導出口１５ｂが形成されている。口金部１４を上部プレートと下部プレートの間に挟み溶接加工する前に、図７に示すように口金部１４に雄ネジ型のニップル部１５ａを挿入し、挿入したままの状態で口金部１４をプレス加工する、プレス形成された口金部１４はニップル部１５ａにテーパー部１５ｃが絞り形成され一体型となり、口金部１４ｂとニップル部１５ｃは接触され、両接合部１４ｃ、１５ｃの外周の環状を電機溶接することにより接合されている。【００１２】  前記に示すように口金部１４には加熱流体を外部から導入するための口金と、加熱流体を内部から導出するための口金に分かれており、加熱流体導入口１５ａは雄ネジ型となっており、導出口１５ｂは雌ネジ型となっており前記と同様に口金部１４に雌ネジ型のニップル部１５ｂを挿入したままの状態で口金部１４をプレス加工する。プレス形成された口金部１４にはニップル部１５ｂにテーパー部１５ｃが絞り形成され一体型となり、口金部１４ｂとニップル部１５ｃは接触され、両接合部１４ｃ、１５ｃの外周の環状を電機溶接することにより接合されている。【００１３】  前記に示した導入口１５ａおよび導出口１５ｂは図２で示すようにパネルを敷設する時にパネル本体７の導出口１５ｂとパネル本体７ａの導入口１５ａを接合し敷設していくものとする。【００１４】  パネル本体を敷設した場合、根太とパネルを固定させるための釘１９を貫通する釘孔１９ａが複数箇所プレス形成加工をしている【００１５】  図２に示すようにパネル本体を床の一部として使用するためにパネルとパネルの間の接続部分に隙間ができるため、隙間部分に専用の蓋２０を設置しなければならない、また蓋２０がずれたり、浮き上ったりすることを防止するため、口金部１４と上部プレート９の接合位置を９ａとし溶接にて接合され、蓋がはまり込むための段差９ｂがある
【図面の簡単な説明】
【００１６】
【図１】比較対照とする既存の床暖房パネル断面図
【図２】この発明の床暖房用パネル数枚を敷設した状態の平面図
【図３】床暖房用パネルの一部省略平面図
【図４】床暖房用パネル固定した状態の横断面図
【図５】床暖房用パネルを斜めから見た全体図
【図６】床暖房用パネルの横断面図
【図７】床暖房用パネルの一部省略縦断面図
【図１】
2009058211.tif 000003
【図２】
2009058211.tif 000004
【図３】
2009058211.tif 000005
【図４】
2009058211.tif 000006
【図５】
2009058211.tif 000007
【図６】
2009058211.tif 000008
【図７】
2009058211.tif 000009